(57)【要約】【目的】マットの風合いや外観を損なわず、併せて高い消臭機能と耐洗濯性が確保され、しかも、消臭機能が劣化しにくい消臭マットを提供すること。【構成】この発明の消臭マットは、適宜形状としたマット本体１の下にマット本体１とほぼ同形状の収容体２を設け、前記収容体２に消臭機能を有する消臭体を挿脱可能としている。前記マット本体１に、収容体２が着脱自在とすることができる。また、収容体２の下面１４が、滑り止め機能を有するものとしてもよい。【選択図】　図１
2004089347.tif 000002
【特許請求の範囲】
【請求項１】
適宜形状としたマット本体（１）の下にマット本体（１）とほぼ同形状の収容体（２）を設け、前記収容体（２）に消臭機能を有する消臭体（３）を挿脱可能としていることを特徴とする消臭マット。
【請求項２】
マット本体（１）に収容体（２）が着脱自在となっている請求項１記載の消臭マット。
【請求項３】
収容体（２）の下面（１４）が、滑り止め機能を有するものとしている請求項１記載の消臭マット。
【発明の詳細な説明】
健康
【０００１】
【発明の属する技術分野】
この発明は、ペット用、家庭用等として、床面や地面に敷いて使用するマットに関するものである。
【０００２】
【従来の技術】
従来から主にペット用、家庭用に使用されているマットは、綿糸等の天然繊維や、アクリル繊維等の合成繊維を用いた織物、編み物、タフト等として構成されており、裏面にクッション材等を縫合したものがあった。しかし、これらは消臭機能が無く、使用を重ねると、マット自体が強いペット等の臭いを帯びるとともに、その周辺にまで臭いを及ぼすようになる。
【０００３】
そのため、マットに消臭剤をスプレーしたり、綿糸や合成繊維に消臭加工を施したものをマットのパイル糸や、表地、裏地に用いたりした消臭機能付きのものがあった。しかし、これらは、消臭機能がマット自体に施されているため、マットの風合い、外観を良好なものとし、併せて高い消臭機能と耐洗濯性を確保することに対する制約が大きかった。
【０００４】
また、マットを常に清潔に保つためには、頻繁に洗濯する必要があるが、前記従来の消臭機能付きのマットは、頻繁に洗濯すると短期間に消臭機能が劣化することが避けられなかった。
【０００５】
しかも、消臭機能が化学的なもの、物理的なもののいずれであっても、自ずと臭いの吸着に対する飽和値があり、飽和値が近づくに従って、消臭効果が減少することは否めない。
【０００６】
さらに、ペットの排泄物等がマットに付着することによっても消臭機能が劣化する。
【０００７】
【発明が解決しようとする課題】
そこで、この発明は、マットの風合いや外観を損なわず、併せて高い消臭機能と耐洗濯性が確保され、しかも、消臭機能が劣化しにくい消臭マットを提供することを課題とする。
【０００８】
【課題を解決するための手段】
前記課題を解決するため、この発明は次のような技術的手段を講じている。
【０００９】
この発明の消臭マットは、適宜形状としたマット本体１の下にマット本体１とほぼ同形状の収容体２を設け、前記収容体２に消臭機能を有する消臭体３を挿脱可能としている。
【００１０】
前記マット本体１に、収容体２が着脱自在とすることができる。
【００１１】
また、収容体２の下面１４が、滑り止め機能を有するものとしてもよい。
【００１２】
【発明の実施の態様】
以下、この発明の実施の形態を、図面を参照して説明する。
【００１３】
この発明の消臭マットは、適宜形状としたマット本体１の下にマット本体１とほぼ同形状の収容体２を設け、前記収容体２に消臭機能を有する消臭体３を挿脱可能としたものである。
【００１４】
図１は、この発明の消臭マットで、マット本体１と収容体２を分離した状態の説明図、図２は、マット本体１を裏返した場合の斜視図、図３は、収容体２と消臭体３の説明図、図４は、収容体２に消臭体３を収容したときの断面図である。
【００１５】
この消臭マットは、マット本体１、収容体２、及び消臭体３の３点のパーツから構成されている。
【００１６】
マット本体１は、綿や合成繊維等からなるパイル等のクッション性の優れた織物、編み物、タフト等として構成された敷物で、平面視において四角形とし、四辺の耳４，５，６，７を縫合している。
【００１７】
マット本体１は、上面８をパイル面とし、適宜の模様を施しており、下面９（裏面）側を、通気性を阻害する樹脂やフィルムのコーティング等を施していないものとしている。また、マット本体１の下面９には、収容体２を着脱自在とするための係合部材１０を設けている。係合部材１０は、面ファスナー、ホック等とすることができる。
【００１８】
マット本体１は、抗菌加工、吸水加工、撥水加工、マイナスイオン加工が施された糸やトルマリンを練りこんだ糸等を使用したものとすることができる。
【００１９】
マット本体１は、具体的には、ポリエステル不織布からなる基布に、アクリル繊維の番手が２／１０バルキー糸の好みの色に染色したものを５／３２ゲージのタフト機でパイル長が約８ｍｍ、目付けが約６００ｇ／ｍ２のカットパイル地を作成して四方をほつれないように縁取りテープを付け、図示したように縫製したものとするとよい。そして、係合部材１０として面ファスナーを下面の四隅に縫い付ける。
【００２０】
収容体２は、マット本体１とほぼ同形状、ほぼ同じ大きさの四角形としている。なお、「マット本体１とほぼ同形状」とは、平面視においてほぼ同形状の意味であり、マット本体１と収容体２の厚みに相違があってもよい。
【００２１】
収容体２は、通気性の良好なナイロン、ポリエステル等のモノフィラメントを交えた長繊維からなるもので、ダブルラッセル機などで編まれたメッシュの生地１１，１２を２枚重ねにしており、内部にシート状のものを着脱できるようにしている。収容体２は、モノフィラメントを使用した織物として構成することもできる。
【００２２】
収容体２は、上面１３側の生地１１と下面１４側の生地１２の互いの四辺の耳１５、１６，１７，１８が縫合され、下面１４側の生地１２が中央に設けた切込み１９により左右に分かれており、ここから消臭体３を挿脱できるようになっている。切込み１９は、上面１３側の生地１１に設けたものとしたり、収容体２の一辺付近に設けたりしたものとしても良い。
【００２３】
この消臭マットは、室内のフローリング等の床、畳、椅子の座部、車の座席等に敷いて使用することができるが、敷いた位置から簡単に移動したり、ずり落ちたりしないように、収容体２の下面１４は、滑り止め機能を有するものとしている。滑り止め機能は、収容体２の下面１４に、通気性を損なわないようにポリウレタン樹脂やアクリル樹脂等の滑り止め剤による加工を施したり、多数の突起を形成したりすることにより付与することができる。
【００２４】
なお、この消臭マットが消臭機能を発揮するためには、収容体２は、その上面１３側の生地１１が通気性を有していれば良く、下面１４側の生地１２は通気性を有しないものでもよい。
【００２５】
また、収容体２の上面１３には、収容体２をマット本体１に着脱自在とするため、前記マット本体１の係合部材１０と互いに係合する係合部材２０を設けている。係合部材２０の取り付け位置は、マット本体１の係合部材１０の取り付け位置に合わせる。
【００２６】
収容体２の素材は、ダブルラッセル機でメッシュに編成したものが好ましく、表裏の地組織は、ナイロン、ポリエステル等のマルチフィラメントを用いるのが好ましく、表裏を繋ぐ結節糸は、２００デシテックスから４００デシテックスのナイロンモノフィラメントが好ましい。
【００２７】
前記生地１１，１２の１枚の厚みは、３ｍｍから７ｍｍが好ましい。また、生地１１，１２は、より大きな消臭機能を発揮させるためにも空隙率の高いものが望ましい。
【００２８】
収容体２は、具体的には、フロントとバックにポリエステルの１６７デシテックスを用い、ミドルにナイロンの２００デシテックスのモノフィラメントで編成した厚さ約５ｍｍの弾力性のあるダブルラッセルのメッシュ（旭化成株式会社製のフュージョン１（商標））を用い、これを２枚重ねにして、図示したように縫製したものとするとよい。
【００２９】
前記２枚の生地１１，１２は、図示した通り、四方に縁取りテープを縫い付け、上面１３の四隅に、係合部材２０として面ファスナーを縫い付ける。
【００３０】
消臭体３は、合成繊維の不織布からなるシート状のもので、活性炭等の消臭剤を含むものとしている。消臭体３は、マット本体１の大部分と重なるサイズとしており、表面積が比較的大きいので、消臭機能に速効性がある。
【００３１】
消臭体３は、具体的には、ポリエステル繊維又はポリプロピレン繊維等の水分の影響を受けにくい合成繊維のスパンボンドに活性炭を基材とした消臭剤をサンドイッチ状に挟み込みボンドしたものが好ましい。例えば、旭化成株式会社製のセミアＳ−３（商標）を、収容体２にスムーズに挿脱できるように、収容体２のサイズに対して、縦、横ともにおよそ９０％程度の大きさに形成したものとするとよい。
【００３２】
以上のように構成された消臭マットは、マット本体１と収容体２が、マット本体１の下面９の四隅、及び収容体２の上面１３の四隅のそれぞれに設けられた係合部材１０，２０により、互いに着脱自在で、かつ使用中にずれたり離れたりしないようになっている。
【００３３】
そして、この消臭マットは、ペットが乗り、直接触れるマット本体１と、消臭体３を収容する収容体２を着脱可能とすることにより、マット本体１と収容体２を分離してそれぞれ単独で洗濯することができる。
【００３４】
マット本体１は、ペットの排泄物が付着することもあり、汚れ易いが、頻繁に洗濯を行うことにより、清潔な状態を保つことができる。一方、収容体２はマット本体１の下に位置するため比較的汚れにくいので、頻繁に洗濯する必要は無い。また、マット本体１と収容体２の素材が相違する場合は、それぞれに適した方法や条件で洗濯を行うことが望ましい。
【００３５】
従って、マット本体１と収容体２を分離し、それぞれに適した方法、条件で洗濯を行うこととすれば、より高い洗浄効果が得られ、また、乾燥速度を速くすることもできる。
【００３６】
また、収容体２は、内部に消臭体３を収容したまま洗濯することも可能であるが、消臭体３を抜き取って洗濯すれば、消臭体３に含まれる消臭剤が洗濯によって劣化することが防止されるので、高い消臭機能を長期間維持することができる。
【００３７】
マット本体１は、ペットの排泄物の水分や湿気を吸っても、その下に収容体２が存在し、直接床面や地面に接しないので、マット本体１が濡れた状態が長時間続くことが防止される。
【００３８】
消臭体３は、収容体２に包まれて保護されているため、消臭剤の量、種類、耐洗濯性等の制限が大幅に緩和され、消臭効果が高い。また、消臭体３の消臭機能が低下しても、新しい消臭体３に交換するだけで、優れた消臭機能が復活する。
【００３９】
マット本体１と収容体２は、着脱自在ではなく、一体のものとして構成することもできる。例えば、マット本体１を、収容体２の上面１３側の生地１１の上部として構成することができる。この場合、生地１１を厚くしてクッション製の良好なものとすることが望ましい。
【００４０】
また、マット本体１や収容体２の隅部等に輪状等の引っ掛け部材を設け、洗濯後に何かに引っ掛けて干すことができるようにしてもよい。
【００４１】
なお、この発明の消臭マットは、大きさや形状を適宜変更して実施することができ、また、ペット用に限定されず、家庭のトイレや玄関、介護用ベッド等において使用されるものとすることもできる。
【００４２】
【発明の効果】
この発明の消臭マットは、上述のような構成を有しており、マットの風合いや外観を損なわず、併せて高い消臭機能と耐洗濯性が確保され、しかも、消臭機能が劣化しにくいものとなっている。
【図面の簡単な説明】
【図１】この発明の実施形態の消臭マットで、マット本体と収容体を分離した状態を示す説明図。
【図２】この発明の実施形態の消臭マットの、マット本体を裏返した場合の斜視図。
【図３】この発明の実施形態の消臭マットの、収容体（裏返しにした状態）と消臭体の説明図
【図４】この発明の実施形態の消臭マットで、収容体に消臭体を収容したときの断面図。
【符号の説明】
１　マット本体
２　収容体
３　消臭体
１４　収容体の下面
【図１】
2004089347.tif 000003
【図２】
2004089347.tif 000004
【図３】
2004089347.tif 000005
【図４】
2004089347.tif 000006